(57)【要約】      （修正有）【課題】手動でのコードの繰出し作業を容易にする。【解決手段】ボビン１８には円周連動域Ｐで各連動凸部２１と各連動凹部２２とを交互に並設するとともに円周解除域Ｑ，Ｒで各ストッパ凸部２３，２５と各ストッパ凹部２４，２６とを交互に並設している。回転ケース４に支持した手動操作体２８で連動凸部２９，３０は連動凹部２２に係入される連動状態Ｍとストッパ凹部２４，２６に係入される解除状態Ｎとを取る。連動凸部２９，３０が連動状態Ｍで連動凸部２１と係合して回転ケース４とボビン１８とが互いに連動して正回転する。回転ケース４及びボビン１８の停止状態において、連動凸部２９，３０が解除状態Ｎで連動凸部２１から外れてボビン１８の逆回転向きＸＢへの回転を許容し、連動凸部２９，３０が解除状態Ｎでストッパ凸部２３，２５に当接するまで、または、連動状態Ｍで連動凸部２１に当接するまで、コード１９，２０をボビン１８から繰り出す。【選択図】図４
2006014686.tif 000002
【特許請求の範囲】
【請求項１】
コードが巻かれるボビンの端面にはボビンの回転中心線を中心とする円周連動域で複数の連動凸部とこの各連動凸部間の連動凹部とを交互に並設し、
駆動源により正回転向きへ回転する回転ケースの内側には回転ケースの回転中心線を中心とする周方向に沿って設けた周壁部で外部操作可能な手動操作体を回転ケースの回転中心線に対し直交する半径方向へ移動可能に支持し、この手動操作体に設けた連動凸部は、手動操作体の移動操作に伴い、前記ボビンの連動凹部に係入される連動状態と、このボビンの連動凹部から外れる解除状態とを取り、
前記手動操作体の連動凸部が前記連動状態で回転ケースの回転によりボビンの連動凸部を正回転向きへ押してボビンを正回転向きへ回転させ、
前記回転ケース及びボビンの停止状態において、手動操作体の連動凸部が前記解除状態でボビンの連動凸部から外れて回転ケースに対するボビンの逆回転向きへの回転を許容し、手動操作体の連動凸部が前記連動状態でボビンの連動凸部に当接するまでコードの先端部を所定寸法ずつ手でボビンから回転ケースの外側へ繰り出すことができる
ことを特徴とするコード型草刈機の刈刃装置における手動式コード繰出し機構。
【請求項２】
コードが巻かれるボビンの端面には、ボビンの回転中心線を中心とする円周連動域で複数の連動凸部とこの各連動凸部間の連動凹部とを交互に並設するとともに、この各連動凸部及び各連動凹部を含む円周連動域から外れた位置にあるボビンの回転中心線を中心とする円周解除域で複数のストッパ凸部とこの各ストッパ凸部間のストッパ凹部とを交互に並設し、
回転ケースの内側には外部操作可能な手動操作体を移動可能に支持し、この手動操作体に設けた連動凸部は、手動操作体の移動操作に伴い、前記ボビンの連動凹部に係入される連動状態と、前記ボビンのストッパ凹部に係入される解除状態とを取り、
前記手動操作体の連動凸部が前記連動状態でボビンの連動凸部と係合して回転ケースとボビンとが互いに連動して正回転し、
前記回転ケース及びボビンの停止状態において、手動操作体の連動凸部が前記解除状態でボビンの連動凸部から外れて回転ケースに対するボビンの逆回転向きへの回転を許容し、手動操作体の連動凸部が前記解除状態でボビンのストッパ凸部に当接するまで、または、手動操作体の連動凸部が前記連動状態でボビンの連動凸部に当接するまで、コードの先端部を所定寸法ずつ手でボビンから回転ケースの外側へ繰り出すことができる
ことを特徴とするコード型草刈機の刈刃装置における手動式コード繰出し機構。
【請求項３】
前記ボビンにおいて、ストッパ凸部は円周連動域で互いに隣接する両連動凸部間で円周解除域に設けられ、この円周連動域と円周解除域とはストッパ凸部と両連動凸部との間で移動路により互いに連通されていることを特徴とする請求項２に記載のコード型草刈機の刈刃装置における手動式コード繰出し機構。
【請求項４】
前記手動操作体の連動凸部は、回転ケースの回転中心線に対し直交する方向へ移動し、回転ケースの回転中心線を挟む両側にそれぞれ配設され、
前記ボビンにおいて、円周解除域は円周連動域の内側と外側とにそれぞれ配設され、各ストッパ凸部及び各ストッパ凹部はこの内側の円周解除域と外側の円周解除域とにそれぞれ配設され、
前記手動操作体の両連動凸部のうち、一方の連動凸部は前記ボビンにおける円周連動域と内側の円周解除域との間で移動するとともに、他方の連動凸部は前記ボビンにおける円周連動域と外側の円周解除域との間で移動する
ことを特徴とする請求項２または請求項３に記載のコード型草刈機の刈刃装置における手動式コード繰出し機構。
【請求項５】
前記ボビンにおいて円周解除域に設けたストッパ凸部でボビンの回転方向の両側のうち前記手動操作体の連動凸部が当接する側には、手動操作体の連動凸部を円周解除域から円周連動域へ案内するようにボビンの回転中心線とストッパ凸部とを結ぶ半径線に対し傾斜する当接面を設けたことを特徴とする請求項２または請求項３または請求項４に記載のコード型草刈機の刈刃装置における手動式コード繰出し機構。
【請求項６】
前記手動操作体は、その連動凸部が連動状態で保持されるようにばねにより付勢され、そのばねの付勢力に抗して移動操作されて連動状態から解除状態になることを特徴とする請求項１から請求項５のうちいずれかの請求項に記載のコード型草刈機の刈刃装置における手動式コード繰出し機構。
【発明の詳細な説明】
【技術分野】
【０００１】
本発明は、コード型草刈機の刈刃装置において、回転ケース内のボビンに巻いたコードをその消耗に応じて手動で繰り出すための機構に関するものである。
【背景技術】
【０００２】
下記特許文献１では、案内板３を糸巻ケース１に対しコイルスプリング６の弾性力に抗して締め付けると、糸巻ケース１の各凹部９に糸巻ボビン２の各凸部８が係入され、糸巻ケース１と糸巻ボビン２と案内板３とが一体に回転する。また、案内板３を糸巻ケース１に対し緩めると、糸巻ボビン２の各凸部８がコイルスプリング６の弾性力により糸巻ケース１の各凹部９から外れ、糸巻ボビン２を単独で回動させながら可撓線条１０を糸巻ケース１から手で繰り出すことができる。
【特許文献１】実公平２−３８号公報
【発明の開示】
【発明が解決しようとする課題】
【０００３】
従来のコード型草刈機の刈刃装置は下記（イ）（ロ）（ハ）（ニ）の問題点を有している。
（イ）  糸巻ケース１と糸巻ボビン２と案内板３とからなるケース１８において、糸巻ボビン２に対しエンジン１５の回転がメインパイプ１６内のシャフトやギヤケース１７内のベベルギヤを介して伝達されるため、可撓線条１０を糸巻ケース１から手で繰り出す際、糸巻ボビン２に回動抵抗が生じて可撓線条１０の繰出し作業が行いにくくなる。
【０００４】
（ロ）  案内板３が糸巻ケース１の回転中心線方向の両側のうち底側に配設されているため、案内板３の操作が行いにくくなって可撓線条１０の繰出し作業が行いにくくなる。
（ハ）  糸巻ボビン２を糸巻ケース１の回転中心線方向へ移動させて糸巻ケース１に対し係脱させる必要があるため、糸巻ボビン２に巻かれた可撓線条１０の位置が糸巻ケース１の取出孔１１に対し変化し、可撓線条１０の繰出し作業が行いにくくなる。
【０００５】
（ニ）  糸巻ボビン２が糸巻ケース１から外れた状態で糸巻ボビン２を回動させながら可撓線条１０を糸巻ケース１から繰り出す際、その可撓線条１０に対する繰出し操作を任意的に止めない限り可撓線条１０が繰り出されてしまい、可撓線条１０の繰出し寸法の設定が困難になって可撓線条１０の繰出し作業が行いにくくなる。
【０００６】
この発明は、上記問題点（イ）（ロ）（ハ）または上記問題点（ハ）（ニ）を解消してコード（上記可撓線条１０に該当）の繰出し作業を行い易くすることを目的としている。
【課題を解決するための手段】
【０００７】
後記実施形態の図面（図１〜６）の符号を援用して本発明を説明する。
請求項１の発明にかかるコード型草刈機の刈刃装置において手動式コード繰出し機構（Ｈ）は下記のように構成されている。
【０００８】
コード（１９，２０）が巻かれるボビン（１８）の端面にはボビン（１８）の回転中心線（１８ａ）を中心とする円周連動域（Ｐ）で複数の連動凸部（２１）とこの各連動凸部（２１）間の連動凹部（２２）とを交互に並設している。駆動源（３）により正回転向き（ＸＦ）へ回転する回転ケース（４）の内側には、回転ケース（４）の回転中心線（４ａ）を中心とする周方向に沿って設けた周壁部（１０）で外部操作可能な手動操作体（２８）を回転ケース（４）の回転中心線（４ａ）に対し直交する半径方向（Ｙ）へ移動可能に支持している。この手動操作体（２８）に設けた連動凸部（２９，３０）は、手動操作体（２８）の移動操作に伴い、前記ボビン（１８）の連動凹部（２２）に係入される連動状態（Ｍ）と、このボビン（１８）の連動凹部（２２）から外れる解除状態（Ｎ）とを取り得る。前記手動操作体（２８）の連動凸部（２９，３０）が前記連動状態（Ｍ）で回転ケース（４）の回転によりボビン（１８）の連動凸部（２１）を正回転向き（ＸＦ）へ押してボビン（１８）を正回転向き（ＸＦ）へ回転させる。例えば、手動操作体（２８）の連動凸部（２９，３０）は、連動状態（Ｍ）でボビン（１８）において互いに隣接する両連動凸部（２１）間の連動凹部（２２）でその両連動凸部（２１）に対し相対回動する。前記回転ケース（４）及びボビン（１８）の停止状態において、手動操作体（２８）の連動凸部（２９，３０）が前記解除状態（Ｎ）でボビン（１８）の連動凸部（２１）から外れて回転ケース（４）に対するボビン（１８）の逆回転向き（ＸＢ）への回転を許容し、手動操作体（２８）の連動凸部（２９，３０）が前記連動状態（Ｍ）でボビン（１８）の連動凸部（２１）に当接するまでコード（１９，２０）の先端部を所定寸法ずつ手でボビン（１８）から回転ケース（４）の外側へ繰り出すことができる。
【０００９】
請求項１の発明では、ボビン（１８）に駆動源（３）の回転が直接的に伝達されず回転ケース（４）の手動操作体（２８）を介して伝達されるため、コード（１９，２０）の先端部を回転ケース（４）から手で繰り出す際、ボビン（１８）の回動抵抗が生じにくくなってコード（１９，２０）の繰出し作業が行い易くなる。また、回転ケース（４）の周壁部（１０）で手動操作体（２８）を外部操作することができるので、手動操作体（２８）の操作が行い易くなってコード（１９，２０）の繰出し作業が行い易くなる。さらに、ボビン（１８）とは別に手動操作体（２８）を設けたので、コード（１９，２０）の先端部を回転ケース（４）から手で繰り出す際、ボビン（１８）が回転ケース（４）の回転中心線（４ａ）の方向へ移動せず、コード（１９，２０）の先端部と回転ケース（４）の取出孔（１２，１７）との位置関係が一定になってコード（１９，２０）の繰出し作業が行い易くなる。
【００１０】
請求項２の発明にかかるコード型草刈機の刈刃装置において手動式コード繰出し機構（Ｈ）は下記のように構成されている。
コード（１９，２０）が巻かれるボビン（１８）の端面には、ボビン（１８）の回転中心線（１８ａ）を中心とする円周連動域（Ｐ）で複数の連動凸部（２１）とこの各連動凸部（２１）間の連動凹部（２２）とを交互に並設するとともに、この各連動凸部（２１）及び各連動凹部（２２）を含む円周連動域（Ｐ）から外れた位置にあるボビン（１８）の回転中心線（１８ａ）を中心とする円周解除域（Ｑ，Ｒ）で複数のストッパ凸部（２３，２５）とこの各ストッパ凸部（２３，２５）間のストッパ凹部（２４，２６）とを交互に並設している。回転ケース（４）の内側には外部操作可能な手動操作体（２８）を移動可能に支持している。この手動操作体（２８）に設けた連動凸部（２９，３０）は、手動操作体（２８）の移動操作に伴い、前記ボビン（１８）の連動凹部（２２）に係入される連動状態（Ｍ）と、前記ボビン（１８）のストッパ凹部（２４，２６）に係入される解除状態（Ｎ）とを取り得る。前記手動操作体（２８）の連動凸部（２９，３０）が前記連動状態（Ｍ）でボビン（１８）の連動凸部（２１）と係合して回転ケース（４）とボビン（１８）とが互いに連動して正回転する。例えば、手動操作体（２８）の連動凸部（２９，３０）は、解除状態（Ｎ）でボビン（１８）において互いに隣接する両ストッパ凸部（２３，２５）間のストッパ凹部（２４，２６）でその両ストッパ凸部（２３，２５）に対し相対回動し、連動状態（Ｍ）でボビン（１８）において互いに隣接する両連動凸部（２１）間の連動凹部（２２）でその両連動凸部（２１）に対し相対回動する。なお、回転ケース（４）とボビン（１８）とのうちいずれかのものを駆動源（３）により正回転向き（ＸＦ）へ回転させる。前記回転ケース（４）及びボビン（１８）の停止状態において、手動操作体（２８）の連動凸部（２９，３０）が前記解除状態（Ｎ）でボビン（１８）の連動凸部（２１）から外れて回転ケース（４）に対するボビン（１８）の逆回転向き（ＸＢ）への回転を許容し、手動操作体（２８）の連動凸部（２９，３０）が前記解除状態（Ｎ）でボビン（１８）のストッパ凸部（２３，２５）に当接するまで、または、手動操作体（２８）の連動凸部（２９，３０）が前記連動状態（Ｍ）でボビン（１８）の連動凸部（２１）に当接するまで、コード（１９，２０）の先端部を所定寸法ずつ手でボビン（１８）から回転ケース（４）の外側へ繰り出すことができる。
【００１１】
請求項２の発明では、コード（１９，２０）に対する繰出し操作を任意的に止めなくても手動操作体（２８）の連動凸部（２９，３０）が解除状態（Ｎ）でボビン（１８）のストッパ凸部（２３，２５）に当接するので、コード（１９，２０）の繰出し寸法の設定が容易になってコード（１９，２０）の繰出し作業が行い易くなる。また、ボビン（１８）とは別に手動操作体（２８）を設けたので、コード（１９，２０）の先端部を回転ケース（４）から手で繰り出す際、ボビン（１８）が回転ケース（４）の回転中心線（４ａ）の方向へ移動せず、コード（１９，２０）の先端部と回転ケース（４）の取出孔（１２，１７）との位置関係が一定になってコード（１９，２０）の繰出し作業が行い易くなる。
【００１２】
請求項２の発明を前提とする請求項３の発明にかかるボビン（１８）おいて、ストッパ凸部（２３，２５）は円周連動域（Ｐ）で互いに隣接する両連動凸部（２１）間で円周解除域（Ｑ，Ｒ）に設けられ、この円周連動域（Ｐ）と円周解除域（Ｑ，Ｒ）とはストッパ凸部（２３，２５）と両連動凸部（２１）との間で移動路（２７）により互いに連通されている。請求項３の発明では、手動操作体（２８）の連動凸部（２９，３０）を手動操作体（２８）の移動操作に伴い連動状態（Ｍ）と解除状態（Ｎ）との間で移動路（２７）を通って円滑に移動させることができ、コード（１９，２０）の繰出し作業が行い易くなる。
【００１３】
請求項２または請求項３の発明を前提とする請求項４の発明は下記のように構成されている。
前記手動操作体（２８）の連動凸部（２１）は、回転ケース（４）の回転中心線（４ａ）に対し直交する半径方向（Ｙ）へ移動し、回転ケース（４）の回転中心線（４ａ）を挟む両側にそれぞれ配設されている。前記ボビン（１８）において、円周解除域（Ｑ,Ｒ）は円周連動域（Ｐ）の内側と外側とにそれぞれ配設され、各ストッパ凸部（２３，２５）及び各ストッパ凹部（２４，２６）はこの内側の円周解除域（Ｑ）と外側の円周解除域（Ｒ）とにそれぞれ配設されている。前記手動操作体（２８）の両連動凸部（２９，３０）のうち、一方の連動凸部（２９）は前記ボビン（１８）における円周連動域（Ｐ）と内側の円周解除域（Ｑ）との間で移動するとともに、他方の連動凸部（３０）は前記ボビン（１８）における円周連動域（Ｐ）と外側の円周解除域（Ｒ）との間で移動する。請求項４の発明では、回転ケース（４）の回転中心線（４ａ）を挟む両側で回転ケース（４）とボビン（１８）との間の回転伝達が行われるので、その回転伝達を確実に行うことができるとともに、回転ケース（４）の回転中心線（４ａ）を挟む両側で回転伝達力のバランスも取ることができる。
【００１４】
請求項２または請求項３または請求項４の発明を前提とする請求項５の発明にかかるボビン（１８）において、円周解除域（Ｑ，Ｒ）に設けたストッパ凸部（２３，２５）でボビン（１８）の回転方向（Ｘ）の両側のうち前記手動操作体（２８）の連動凸部（２９，３０）が当接する側には、手動操作体（２８）の連動凸部（２９，３０）を円周解除域（Ｑ，Ｒ）から円周連動域（Ｐ）へ案内するようにボビン（１８）の回転中心線（１８ａ）とストッパ凸部（２３，２５）とを結ぶ半径線（Ｌ）に対し傾斜する当接面（２３ａ，２５ａ）を設けている。例えば、ボビン（１８）において内側の円周解除域（Ｑ）に設けたストッパ凸部（２３）でボビン（１８）の回転方向（Ｘ）の両側のうち手動操作体（２８）の連動凸部（２９）が当接する側には、ボビン（１８）の回転中心線（１８ａ）とストッパ凸部（２３）とを結ぶ半径線（Ｌ）に対しボビン（１８）の回転中心線（１８ａ）に向うに従い離間するように傾斜する当接面（２３ａ）を設け、ボビン（１８）において外側の円周解除域（Ｒ）に設けたストッパ凸部（２５）でボビン（１８）の回転方向（Ｘ）の両側のうち手動操作体（２８）の連動凸部（３０）が当接する側には、ボビン（１８）の回転中心線（１８ａ）とストッパ凸部（２５）とを結ぶ半径線（Ｌ）に対しボビン（１８）の回転中心線（１８ａ）に向うに従い接近するように傾斜する当接面（２５ａ）を設けている。請求項５の発明では、ストッパ凸部（２３，２５）の当接面（２３ａ，２５ａ）により手動操作体（２８）の連動凸部（２９，３０）を円周解除域（Ｑ，Ｒ）から円周連動域（Ｐ）へ円滑に切り換えることができるので、コード（１９，２０）の繰出し作業が行い易くなる。
【００１５】
請求項１から請求項５のうちいずれかの請求項の発明を前提とする請求項６の発明において、前記手動操作体（２８）は、その連動凸部（２９，３０）が連動状態（Ｍ）で保持されるようにばね（３２）により付勢され、そのばね（３２）の付勢力に抗して移動操作されて連動状態（Ｍ）から解除状態（Ｎ）になる。請求項６の発明では、ばね（３２）の付勢力により手動操作体（２８）の連動凸部（２９，３０）を解除状態（Ｎ）から連動状態（Ｐ）へ自動的に戻すことができるので、コード（１９，２０）の繰出し作業が行い易くなる。なお、請求項６の発明のようなばね（３２）を利用する必要はなく、手動操作体（２８）を連動状態（Ｍ）と解除状態（Ｎ）とに切り換えるとともにそれらの状態（Ｍ，Ｎ）を保持する手段を採用することができる。
【発明の効果】
【００１６】
本発明は、コード（１９，２０）の繰出し作業を容易にすることができる。
【発明を実施するための最良の形態】
【００１７】
以下、本発明の一実施形態にかかるコード型草刈機の刈刃装置について図１〜６を参照して説明する。
図１（ａ）に示すコード型草刈機においては、刈刃装置１が駆動軸管２の下端部に取り付けられ、この駆動軸管２の上端部に取り付けられた駆動源３により回転する。下記でこの刈刃装置１のみを詳述する。
【００１８】
図１（ｂ）及び図２（ａ）（ｂ）に示す回転ケース４は、図３（ｂ）に示すハウジング５と、図３（ａ）に示すカバー６とからなる。このハウジング５においては、端壁部７の中心部に貫設された軸筒部８内に嵌着されたねじ締結部９が前記駆動軸管２内の駆動軸（図示せず）に連結され、この端壁部７の外周全体に周壁部１０がこの軸筒部８の軸心を中心とする周方向に沿って形成されている。このハウジング５の周壁部１０において、１８０度の点対称位置には両引掛孔１１が形成され、この両引掛孔１１に対し周方向へ９０度ずれた１８０度の点対称位置には両取出孔１２が形成されている。前記カバー６においては、端壁部１３の内側中心部に軸筒部１４が形成され、この端壁部１３の外周全体に周縁部１５がこの軸筒部１４の軸心を中心とする周方向に沿って形成されている。このカバー６の周縁部１５において、１８０度の点対称位置には両引掛腕１６が形成され、この両引掛腕１６に対し周方向へ９０度ずれた１８０度の点対称位置には両取出孔１７が形成されている。このカバー６が前記ハウジング５の下側に重ねられた状態で、カバー６の両引掛腕１６がハウジング５の両引掛孔１１に挿入されてハウジング５とカバー６とが互いに着脱可能に連結される。図２（ａ）（ｂ）及び図３（ａ）に示すボビン１８は、前記回転ケース４内でハウジング５とカバー６との間に収容されてハウジング５の軸筒部８及びカバー６の軸筒部１４に対しそれらの軸筒部８，１４の軸心である回転中心線４ａを中心に回動可能に挿嵌されている。このボビン１８の外周上段と外周下段とにはそれぞれ合成樹脂製コード１９，２０が巻かれ、カバー６の両取出孔１７及びハウジング５の両取出孔１２のうち一方の両取出孔１７，１２から一方のコ−ド１９が繰り出されているとともに、他方の両取出孔１７，１２から他方のコ−ド２０が繰り出されている。このボビン１８の上端面とハウジング５の内側との間には図２（ａ）に示すように下記で詳述する手動式コード繰出し機構Ｈが設けられている。
【００１９】
図３（ａ）及び図４（ｃ）に示すように、前記ボビン１８の上端面には、ボビン１８の回転中心線１８ａ（前記回転ケース４の回転中心線４ａ）を中心とする円周連動域Ｐにおいて、９０度の等間隔で形成された複数（４個）の連動凸部２１と、この各連動凸部２１間の連動凹部２２とが交互に並設されている。また、このボビン１８の上端面には、この円周連動域Ｐから内側に外れた位置にあるボビン１８の回転中心線１８ａを中心とする内側の円周解除域Ｑと、この円周連動域Ｐから外側に外れた位置にあるボビン１８の回転中心線１８ａを中心とする外側の円周解除域Ｒとにおいて、それぞれ、９０度の等間隔で形成された複数（４個）のストッパ凸部２３，２５と、この各ストッパ凸部２３，２５間のストッパ凹部２４，２６とが交互に並設されている。内側の円周解除域Ｑにある各ストッパ凸部２３と外側の円周解除域Ｒにある各ストッパ凸部２５とは、ボビン１８の回転中心線１８ａに対し直交する半径方向Ｙで互いに並び、円周連動域Ｐで互いに隣接する両連動凸部２１間の中央位置（この両連動凸部２１に対し周方向へ４５度ずれた位置）で配設されている。この円周連動域Ｐと内側の円周解除域Ｑ及び外側の円周解除域Ｒとは、ストッパ凸部２３，２５と両連動凸部２１との間で移動路２７により互いに連通されている。内側の円周解除域Ｑにある各ストッパ凸部２３でボビン１８の回転方向Ｘの両側には、ボビン１８の回転中心線１８ａと各ストッパ凸部２３とを結ぶ半径線Ｌに対しボビン１８の回転中心線１８ａに向うに従い離間するように傾斜する当接面２３ａが形成されている。外側の円周解除域Ｒにある各ストッパ凸部２５でボビン１８の回転方向Ｘの両側には、ボビン１８の回転中心線１８ａと各ストッパ凸部２５とを結ぶ半径線Ｌに対しボビン１８の回転中心線１８ａに向うに従い接近するように傾斜する当接面２５ａが形成されている。
【００２０】
図３（ｂ）及び図４（ａ）（ｂ）に示すように、前記回転ケース４のハウジング５の内側には、手動操作体２８が回転ケース４の回転中心線４ａに対し直交する半径方向Ｙへ移動可能に支持されている。この手動操作体２８においては、両連動凸部２９，３０が回転ケース４の回転中心線４ａを挟む両側でそれぞれハウジング５の両取出孔１２に対応して１８０度の点対称位置に配設され、一方の連動凸部２９側から延設された操作部３１がハウジング５の周壁部１０で外部操作可能に露出しているとともに、他方の連動凸部３０側で圧縮コイルばね３２が支持されてこの操作部３１を周壁部１０の外側へ押し出す向きへ付勢している。この手動操作体２８の両連動凸部２９，３０は、手動操作体２８の移動操作に伴い、図４（ａ）（ｃ）及び図６（ａ）（ｂ）に示すように前記ボビン１８の連動凹部２２に係入される連動状態Ｍと、図４（ｂ）及び図５（ａ）（ｂ）に示すようにこのボビン１８の連動凹部２２から外れてボビン１８のストッパ凹部２４，２６に係入される解除状態Ｎとを取る。
【００２１】
図４（ｃ）に示す連動状態Ｍでは、回転ケース４のハウジング５とカバー６とが一体となって駆動源３により正回転向きＸＦ（例えば上から見て左回転向き）へ回転すると、このハウジング５とともに回転する手動操作体２８の両連動凸部２９，３０がボビン１８の連動凸部２１を正回転向きＸＦへ押してボビン１８が回転ケース４とともに正回転向きＸＦへ回転する。従って、回転ケース４の外側へ繰り出されたコード１９，２０が正回転向きＸＦへ回転する。
【００２２】
その連動状態Ｍで回転ケース４及びボビン１８を停止させると、手動操作体２８の両連動凸部２９，３０がボビン１８で互いに隣接する両連動凸部２１間に位置する。その停止状態で、コード１９，２０を手で繰り出すと、ボビン１８が逆回転向きＸＢ（例えば上から見て右回転向き）へ回転し、図４（ｃ）に示すようにボビン１８の連動凸部２１が手動操作体２８の両連動凸部２９，３０に当接するまで、コード１９，２０を繰り出すことができる。
【００２３】
次に、手動操作体２８を圧縮コイルばね３２の弾性力に抗して押すと、手動操作体２８の両連動凸部２９，３０のうち、一方の連動凸部２９が円周連動域Ｐから移動路２７を通って内側の円周解除域Ｑへ移動して互いに隣接する両ストッパ凸部２３間に位置するとともに、他方の連動凸部３０が円周連動域Ｐから移動路２７を通って外側の円周解除域Ｒへ移動して互いに隣接する両ストッパ凸部２５間に位置し、図５（ａ）に示す解除状態Ｎとなる。
【００２４】
次に、図５（ａ）に示す解除状態Ｎで手動操作体２８を押したまま、図１（ｃ）に示すようにコード１９，２０を手で繰り出すと、ボビン１８が逆回転向きＸＢへ回転し、図５（ｂ）に示すように、内側の円周解除域Ｑでストッパ凸部２３の当接面２３ａが一方の連動凸部２９に当接するか、または、外側の円周解除域Ｒでストッパ凸部２５の当接面２５ａが他方の連動凸部３０に当接するまで、コード１９，２０を繰り出すことができる。
【００２５】
次に、図５（ｂ）に示す解除状態Ｎで手動操作体２８を離すと、図６（ａ）に示すように、手動操作体２８は圧縮コイルばね３２の弾性力により連動状態Ｍへ自動的に戻り、手動操作体２８の両連動凸部２９，３０のうち、一方の連動凸部２９が内側の円周解除域Ｑから移動路２７を通って円周連動域Ｐへ移動して互いに隣接する両連動凸部２１間に位置するとともに、他方の連動凸部３０が外側の円周解除域Ｒから移動路２７を通って円周連動域Ｐへ移動して互いに隣接する両連動凸部２１間に位置する。ちなみに、図５（ｂ）に示す解除状態Ｎでコード１９，２０を手で繰り出しながら手動操作体２８を離した場合には、ストッパ凸部２３，２５の当接面２３ａ，２５ａが傾斜しているために、その当接面２３ａ，２５ａが連動凸部２９，３０を案内しながら押す際、コード１９，２０の繰出しに伴うボビン１８の回転力が圧縮コイルばね３２の弾性力と相俟って連動凸部２９，３０を移動させる力として働く。また、ストッパ凸部２３，２５の当接面２３ａ，２５ａが連動凸部２９，３０に当接する前に手動操作体２８を離した場合にも、図６（ａ）に示す連動状態Ｍとなる。
【００２６】
次に、コード１９，２０を手で繰り出すと、ボビン１８が逆回転向きＸＢへ回転し、図６（ｂ）に示すように、円周連動域Ｐでボビン１８の連動凸部２１が手動操作体２８の両連動凸部２９，３０に当接するまで、コード１９，２０を繰り出すことができる。このようにしてコード１９，２０の繰出しを任意回数行うと、コード１９，２０の先端部を所定寸法ずつ手でボビン１８から回転ケース４の外側へ繰り出すことができる。
【図面の簡単な説明】
【００２７】
【図１】（ａ）は本実施形態にかかるコード型草刈機の全体を示す側面図であり、（ｂ）はこのコード型草刈機の刈刃装置の全体を示す斜視図であり、（ｃ）はこのコード型草刈機の刈刃装置においてコードを手でボビンから回転ケースの外側へ繰り出す状態を示す部分斜視図である。
【図２】（ａ）は図１（ｂ）のＡ−Ａ線拡大断面図であり、（ｂ）は図１（ｂ）のＢ−Ｂ線拡大断面図である。
【図３】（ａ）はこの刈刃装置で回転ケースを分解してボビンの端面を示す部分斜視図であり、（ｂ）は同じく回転ケースの内側にある手動操作体を示す部分斜視図である。
【図４】（ａ）は上記回転ケースにおいて手動操作体の押圧解除状態を示す底面図であり、（ｂ）は同じく手動操作体の押圧操作状態を示す底面図であり、（ｃ）は上記回転ケースの手動操作体が押圧解除された状態を示す図２（ａ）のＣ−Ｃ線部分断面図である。
【図５】（ａ）（ｂ）はそれぞれ押圧された回転ケースの手動操作体とボビンの端面との係合状態の変化を示す図４（ｃ）相当図である。
【図６】（ａ）（ｂ）はそれぞれ押圧解除された回転ケースの手動操作体とボビンの端面との係合状態の変化を示す図４（ｃ）相当図である。
【符号の説明】
【００２８】
１…刈刃装置、３…駆動源、４…回転ケース、４ａ…回転中心線、１０…回転ケースの周壁部、１８…ボビン、１８ａ…回転中心線、１９，２０…コード、２１…ボビンの連動凸部、２２…ボビンの連動凹部、２３，２５…ボビンのストッパ凸部、２４，２６…ボビンのストッパ凹部、２３ａ，２５ａ…当接面、２７…ボビンの移動路、２８…回転ケースの手動操作体、２９，３０…手動操作体の連動凸部、３２…圧縮コイルばね、Ｈ…手動式コード繰出し機構、Ｐ…円周連動域、Ｑ，Ｒ…円周解除域、Ｍ…連動状態、Ｎ…解除状態、Ｘ…回転方向、ＸＦ…正回転向き、ＸＢ…逆回転向き、Ｙ…半径方向、Ｌ…半径線。
【図１】
2006014686.tif 000003
【図２】
2006014686.tif 000004
【図３】
2006014686.tif 000005
【図４】
2006014686.tif 000006
【図５】
2006014686.tif 000007
【図６】
2006014686.tif 000008